(57)【要約】【課題】隣接する複数の切り込み線の間隔を狭めすぎることなく、シート媒体の複数の切り込み線間の領域を破断しようとする力の向きが複数の切り込み線の配列方向に対して垂直に近いものとなった場合でも、シート媒体が切り込み線に沿わない方向に裂けてしまうことを回避できるとともに、分離した２つの領域の切り込み線による分離部分を直線に近い状態とする。【解決手段】シート媒体を２つの領域に分離するための切り込み線４０を、直線状の主辺部４１と、主辺部４１の一方の端部から主辺部４１に対して鈍角をなして斜めの方向に延びた補助辺部４２と、主辺部４１の他方の端部から、補助辺部４２が主辺部４１から延びる方向とは反対方向に延びた補助辺部４３とから構成する。【選択図】図１
2014240290.tif 000002
【特許請求の範囲】
【請求項１】
シート媒体に複数の切り込み線が一方向に配列して設けられ、前記複数の切り込み線が繋がることにより当該切り込み線を挟んだ２つの領域に前記シート媒体が分離される分離構造において、
前記複数の切り込み線のそれぞれは、
前記一方向に延びた直線状の主辺部と、
前記主辺部の一方の端部から前記主辺部に対して鈍角をなして斜めの方向に延びた第１の補助辺部と、
前記主辺部の他方の端部から、前記第１の補助辺部が前記主辺部から延びる方向とは反対方向に延びた第２の補助辺部とからなることを特徴とする分離構造。
【発明の詳細な説明】
【技術分野】
【０００１】
本発明は、複数の切り込み線が一方向に配列し、この複数の切り込み線が繋がることにより当該切り込み線を挟んだ２つの領域が分離されるミシン目等の分離構造に関する。
【背景技術】
【０００２】
従来より、紙等のシート媒体を破断して複数の領域に分離する分離構造として、直線からなる複数の切り込み線が一方向に配列したミシン目が用いられている。このようなミシン目は、複数の切り込み線がそれぞれ配列方向に延びた直線状となっており、シート媒体のミシン目を挟んだ一方の領域を複数の切り込み線の配列方向に引っ張る等してシート媒体の複数の切り込み線間の領域を破断することにより、複数の切り込み線が繋がり、シート媒体を複数の領域に分離することができる。
【０００３】
近年、このような切り込み線の形状を工夫することにより、複数の切り込み線からなるミシン目を用いてシート媒体を複数の領域に分離した場合に、ミシン目に沿ってシート媒体が切断されずに紙むけ等が生じることを回避する分離構造が考えられている。
【０００４】
図７は、従来の分離構造を用いた分離用紙の一例を示す図であり、（ａ）は分離用紙が２つの領域に分離していない状態を示す図、（ｂ）は分離用紙が２つの領域に分離していく状態を示す図、（ｃ）は正しく分離した状態の詳細を示す図、（ｄ）は正しく分離しない場合の詳細な状態を示す図である。
【０００５】
本従来例における分離用紙３０１は図７（ａ）に示すように、２つの紙片部３１０，３２０が複数の切り込み線３４０によって分離可能に連接して構成されている。複数の切り込み線３４０は、２つの紙片部３１０，３２０の境界に沿って一方向に延びて配置されており、それぞれが、切り込み線３４０の配列方向に延びた辺部３４１と、この辺部３４１の一端に繋がり、辺部３４１に対して鈍角をなして斜めの方向に延びた辺部３４２とから構成されている。
【０００６】
このように構成された分離用紙３０１は、図７（ｂ）に示すように、２つの紙片部３１０，３２０のうち一方の紙片部３２０を紙片部３１０との境界部分から捲り上げていくことにより、複数の切り込み線３４０間が破断され、複数の切り込み線３４０どうしが繋がり、２つの紙片部３１０，３２０に分離される。この際、紙片部３２０を紙片部３１０との境界部分から捲り上げていくと、分離用紙３０１に加わる破断する力が紙片部３２０側に加わる。そのため、複数の切り込み線３４０間においては、辺部３４１の端部から紙片部３２０側に破断していくが、図７（ｃ）に示すように、その破断方向には隣接する切り込み線３４０の辺部３４２が存在するため、破断部３５０が辺部３４２と繋がり、分離用紙３０１が２つの紙片部３１０，３２０に分離していくことになる（例えば、特許文献１参照）。
【０００７】
ところが、破断部３５０の向きが複数の切り込み線３４０の配列方向に対して垂直に近いものとなった場合、複数の切り込み線３４０どうしがその配列方向において全く重なっていないと図７（ｄ）に示すように、切り込み線３４０の辺部３４１から延びた破断部３５０が、それと隣接する切り込み線３４０の辺部３４２と繋がらず、分離用紙３０１が切り込み線３４０に沿わない方向に裂けてしまうことになる。
【０００８】
そのため、複数の切り込み線３４０の間隔を狭め、複数の切り込み線３４０がその配列方向において一部が重なるようにすれば、破断部３５０の向きが複数の切り込み線３４０の配列方向に対して垂直に近いものとなった場合においても、切り込み線３４０の辺部３４１から延びた破断部３５０が、それと隣接する切り込み線３４０の辺部３４２と繋がり、分離用紙３０１が切り込み線３４０に沿わない方向に裂けてしまうことを回避できる。
【０００９】
ところが、複数の切り込み線３４０の間隔を狭めた場合、切り込み線３４０の辺部３４１の端部とそれに隣接する切り込み線３４０の辺部３４２とが近接することになり、それにより、複数の切り込み線３４０間の領域が破断しやすくなり、分離用紙３０１が不用意に分離してしまう虞れがある。
【先行技術文献】
【特許文献】
【００１０】
【特許文献１】特許第４８１７０１２号公報
【発明の概要】
【発明が解決しようとする課題】
【００１１】
図８は、従来の分離構造を用いた分離用紙の他の例を示す図であり、（ａ）は分離用紙が２つの領域に分離していない状態を示す図、（ｂ）は切り込み線４４０間における破断の詳細を示す図、（ｃ）は分離用紙が２つの領域に分離した状態を示す図である。
【００１２】
本従来例における分離用紙４０１は図８（ａ）に示すように、２つの紙片部４１０，４２０が複数の切り込み線４４０によって分離可能に連接して構成されている。複数の切り込み線４４０は、２つの紙片部４１０，４２０の境界に沿って一方向に延びて配置されており、複数の切り込み線４４０のそれぞれは、その一端が、隣接する切り込み線４４０から離れるように曲線状となっている。
【００１３】
このように切り込み線４４の形状を曲線状とすることにより、隣接する複数の切り込み線４４０の間隔を狭めすぎることなく、複数の切り込み線４４０がその配列方向において一部が重なるようにすることができる。そして、図８（ｂ）に示すように、破断部４５０の向きが複数の切り込み線４４０の配列方向に対して垂直に近いものとなった場合においても、切り込み線４４０から延びた破断部４５０が、それと隣接する切り込み線４４０と繋がり、分離用紙４０１が切り込み線４４０に沿わない方向に裂けてしまうことを回避できる。
【００１４】
ところが、上述した分離用紙４０１においては、複数の切り込み線４４０のそれぞれが、その一端が、隣接する切り込み線４４０から離れるように曲線状となっているため、図８（ｃ）に示すように、２つの紙片部４１０，４２０が分離した状態においては、切り込み線４４０による分離部分が、複数の切り込み線４４０の配列方向に対して左右に大きくぶれる波型状となってしまう。そのため、見栄えや手触りが悪くなってしまい、また、紙片部４１０，４２０の用途によっては、その後の工程に悪影響が及んでしまうという問題点がある。
【００１５】
本発明は、上述したような従来の技術が有する問題点に鑑みてなされたものであって、シート媒体に複数の切り込み線が一方向に配列し、この複数の切り込み線が繋がることにより当該切り込み線を挟んだ２つの領域にシート媒体が分離される分離構造において、隣接する複数の切り込み線の間隔を狭めすぎることなく、シート媒体の複数の切り込み線間の領域を破断しようとする力の向きが複数の切り込み線の配列方向に対して垂直に近いものとなった場合でも、シート媒体が切り込み線に沿わない方向に裂けてしまうことを回避できるとともに、分離した２つの領域の切り込み線による分離部分を直線に近い状態とすることができる分離構造を提供することを目的とする。
【課題を解決するための手段】
【００１６】
上記目的を達成するために本発明は、
シート媒体に複数の切り込み線が一方向に配列して設けられ、前記複数の切り込み線が繋がることにより当該切り込み線を挟んだ２つの領域に前記シート媒体が分離される分離構造において、
前記複数の切り込み線のそれぞれは、
前記一方向に延びた直線状の主辺部と、
前記主辺部の一方の端部から前記主辺部に対して鈍角をなして斜めの方向に延びた第１の補助辺部と、
前記主辺部の他方の端部から、前記第１の補助辺部が前記主辺部から延びる方向とは反対方向に延びた第２の補助辺部とからなることを特徴とする。
【００１７】
上記のように構成された本発明においては、複数の切り込み線間の領域が破断することによって複数の切り込み線が繋がってシート媒体が２つの領域に分離していくことになるが、複数の切り込み線のそれぞれは、複数の切り込み線の配列方向に延びた直線状の主辺部と、この主辺部の２つの端部からそれぞれ延びた第１及び第２の補助辺部とからなり、第１の補助辺部が、主辺部の一方の端部から主辺部に対して鈍角をなして斜めの方向に延び、第２の補助辺部が、主辺部の他方の端部から、第１の補助辺部が主辺部から延びる方向とは反対方向に延びているため、隣接する切り込み線どうしにおいては、第１の補助辺部と第２の補助辺部とが平行なものとなっており、それにより、複数の切り込み線を、複数の切り込み線の配列方向において第１の補助辺部と第２の補助辺部とが重なるように配置しても、隣接する複数の切り込み線の間隔が狭まりすぎることはない。そのため、隣接する複数の切り込み線の間隔を狭めすぎることなく、シート媒体の複数の切り込み線間の領域を破断しようとする力の向きが複数の切り込み線の配列方向に対して垂直に近いものとなった場合でも、切り込み線からの破断部分が向かう方向には隣接する切り込み線が存在し、シート媒体が切り込み線に沿わない方向に裂けてしまうことを回避できる。また、複数の切り込み線が、直線状の主辺部と、この主辺部の両端部のそれぞれから延びた第１及び第２の補助辺部とからなることにより、分離した２つの領域の切り込み線による分離部分が直線に近い状態となる。
【発明の効果】
【００１８】
本発明によれば、シート媒体を２つの領域に分離するための複数の切り込み線の間隔を狭めすぎることなく、シート媒体の複数の切り込み線間の領域を破断しようとする力の向きが複数の切り込み線の配列方向に対して垂直に近いものとなった場合でも、シート媒体が切り込み線に沿わない方向に裂けてしまうことを回避できるとともに、分離した２つの領域の切り込み線による分離部分を直線に近い状態とすることができる。
【図面の簡単な説明】
【００１９】
【図１】本発明の分離構造を用いた封筒の実施の一形態を示す図であり、（ａ）は全体の構成を示す図、（ｂ）は（ａ）に示した切り込み線の構成を示す図である。
【図２】図１に示した封筒が開封される際の切り込み線による作用を説明するための図であり、（ａ）は封筒が開封される前の状態を示す図、（ｂ）は封筒が開封されていく状態を示す図、（ｃ）は封筒が開封される際に切り込み線が繋がっていく状態を示す図である。
【図３】図１に示した封筒が開封された後の切り込み線による効果を説明するための図であり、（ａ）は封筒が開封された後の状態を示す図、（ｂ）は封筒が開封された後の切り込み線近傍の状態を示す図である。
【図４】本発明の分離構造を用いた箱の実施の一形態を示す図であり、（ａ）は全体の構成を示す図、（ｂ）は（ａ）に示した切り込み線の構成を示す図である。
【図５】図４に示したジッパー部が分離される際の切り込み線による作用を説明するための図であり、（ａ）はジッパー部が分離されていく状態を示す図、（ｃ）はジッパー部が分離される際に切り込み線が繋がっていく状態を示す図である。
【図６】図４に示した箱においてジッパー部が分離された後の切り込み線による効果を説明するための図であり、（ａ）は箱が開封された後の状態を示す図、（ｂ）はジッパー部が分離された後の切り込み線近傍の状態を示す図である。
【図７】従来の分離構造を用いた分離用紙の一例を示す図であり、（ａ）は分離用紙が２つの領域に分離していない状態を示す図、（ｂ）は分離用紙が２つの領域に分離していく状態を示す図、（ｃ）は正しく分離した状態の詳細を示す図、（ｄ）は正しく分離しない場合の詳細な状態を示す図である。
【図８】従来の分離構造を用いた分離用紙の他の例を示す図であり、（ａ）は分離用紙が２つの領域に分離していない状態を示す図、（ｂ）は切り込み線間における破断の詳細を示す図、（ｃ）は分離用紙が２つの領域に分離した状態を示す図である。
【発明を実施するための形態】
【００２０】
以下に、本発明の実施の形態について図面を参照して説明する。
【００２１】
（第１の実施の形態）
図１は、本発明の分離構造を用いた封筒の実施の一形態を示す図であり、（ａ）は全体の構成を示す図、（ｂ）は（ａ）に示した切り込み線４０の構成を示す図である。
【００２２】
本形態は図１（ａ）に示すように、シート媒体となる前面片１０と後面片２０とフラップ部３０とからなる封筒１である。
【００２３】
前面片１０及び後面片２０は、その３辺にて綴じ合わされて封筒本体を形成する。
【００２４】
フラップ部３０は、封筒本体の開封部となる側にて前面片１０に折り畳み可能に連接しており、前面片１０との連接方向とは直交する方向における中央部分が前面片１０とは反対側に突出した山状となっている。折り畳み状態内側となる面の一部には、再湿のり３１が塗工されている。
【００２５】
後面片２０は、フラップ部３０が折り畳まれた場合にフラップ部３０に対向する領域に、分離構造を構成する複数の切り込み線４０が形成されている。この切り込み線４０は、フラップ部３０の前面片１０とは反対側の端辺に沿って、フラップ部３０の山状の頂点近傍を除いて形成されている。すなわち、複数の切り込み線４０は、中央部分を介した図１（ａ）中左右の２つの領域のそれぞれにおいて、後面片２０の開口部に隣接する角部から、フラップ部３０が折り畳まれた場合にフラップ部３０の山状の頂点近傍に対向する領域に向かって一方向に配列して設けられていることになる。また、フラップ部３０が折り畳まれた場合にフラップ部３０の山状の頂点近傍に対向する領域には、切り込み線４０にタイ部を介して連続するスリット２４が形成されている。このスリット２４は、タイ部を介して切り込み線４０に連続し、開口部とは反対側に突出するように形成されている。後面片２０は、開口部側の端辺とこの切り込み線４０及びスリット２４とによって囲まれた領域が後面分離部２２となり、その他の領域が後面本体部２１となる。後面分離部２２には、スリット２４によって、開口部とは反対側に舌状に突出したつまみ部２３が形成される。
【００２６】
複数の切り込み線４０のそれぞれは、図１（ｂ）に示すように、主辺部４１と第１の補助辺部４２と第２の補助辺部４３とから構成されている。主辺部４１は、複数の切り込み線４０の配列方向に延びた直線状のものとなっている。補助辺部４２は、主辺部４１の一方の端部から主辺部４１に対して鈍角をなして斜めの方向に延びて形成されている。補助辺部４３は、主辺部４１の他方の端部から、補助辺部４２が主辺部４１から延びる方向とは反対方向に延びて形成されている。
【００２７】
このように構成された複数の切り込み線４０は、補助辺部４２が、スリット２４側でかつ後面分離部２２の方に向き、また、補助辺部４３が、スリット２４とは反対側でかつ後面本体部２１の方に向くように配置され、複数の切り込み線４０の配列方向において、隣接する切り込み線４０の補助辺部４２，４３が互いに重なるよう配置されている。これは、上述したように補助辺部４２が、主辺部４１の一方の端部から主辺部４１に対して鈍角をなして斜めの方向に延びて形成されているとともに、補助辺部４３が、主辺部４１の他方の端部から、補助辺部４２が主辺部４１から延びる方向とは反対方向に延びて形成されていることにより、隣接する２つの切り込み線４０においては、補助辺部４２と補助辺部４３とが平行なものとなり、それにより実現されている。
【００２８】
以下に、上記のように構成された封筒１における切り込み線４０による作用及び効果について説明する。
【００２９】
まず、封筒１が開封される際の切り込み線４０による作用について説明する。
【００３０】
図２は、図１に示した封筒１が開封される際の切り込み線４０による作用を説明するための図であり、（ａ）は封筒１が開封される前の状態を示す図、（ｂ）は封筒１が開封されていく状態を示す図、（ｃ）は封筒１が開封される際に切り込み線４０が繋がっていく状態を示す図である。
【００３１】
図１に示した封筒１は、図２（ａ）に示すように、フラップ部３０が折り畳まれて再湿のり３１によって後面片２０に貼着されることによって封緘される。この際、フラップ部３０は、後面片２０のうち後面分離部２２の全体を覆うことになるが、後面本体部２１においては、フラップ部３０によってその一部しか覆われず、それにより、再湿のり３１による後面本体部２１とフラップ部３０との貼着力は、後面片２０の複数の切り込み線４０間の破断力よりも弱いものとなっている。
【００３２】
封緘された封筒１を開封する場合は、図２（ｂ）に示すように、つまみ部２３を摘まんでフラップ部３０を引き上げていく。すると、フラップ部３０が再湿のり３１によって後面分離部２２に貼着されているとともに、上述したように、再湿のり３１による後面本体部２１とフラップ部３０との貼着力が、後面片２０の複数の切り込み線４０間の破断力よりも弱いものとなっていることにより、複数の切り込み線４０間の領域が破断して後面分離部２２がフラップ部３０とともに引き上げられ、複数の切り込み線４０が繋がることにより後面片２０が後面本体部２１と後面分離部２２とに分離し、封筒１が開封される。
【００３３】
この際、切り込み線４０間の領域においては、図２（ｃ）に示すように、主辺部４１ｂに対してスリット２４とは反対側となる補助辺部４２から後面片２０が破断していき、その破断部５０が、隣接する切り込み線４０に達して複数の切り込み線４０が繋がることになる。補助辺部４２からの破断部５０よる後面片２０の破断方向は、後面片２０の開口部側に向かう方向となるが、上述したように、複数の切り込み線４０が、その配列方向において補助辺部４２，４３が互いに重なるよう配置されていることにより、その方向には、隣接する切り込み線４０の補助辺部４３が存在し、それにより、封筒１を開封しようとする力の向きによって、補助辺部４２からの破断部５０よる後面片２０の破断方向が、複数の切り込み線４０の配列方向に対して垂直に近いものとなった場合でも、後面片２０が切り込み線４０に沿わない方向に裂けてしまうことを回避できる。また、上述したように、隣接する２つの切り込み線４０においては、補助辺部４２と補助辺部４３とが平行なものとなっていることにより、隣接する複数の切り込み線４０の間隔を狭めすぎることなく、そのような構成を実現することができる。
【００３４】
次に、封筒１が開封された後の切り込み線４０による効果について説明する。
【００３５】
図３は、図１に示した封筒１が開封された後の切り込み線４０による効果を説明するための図であり、（ａ）は封筒１が開封された後の状態を示す図、（ｂ）は封筒１が開封された後の切り込み線４０近傍の状態を示す図である。
【００３６】
上述したようにして開封されていった封筒１は、後面片２０の複数の切り込み線４０間の全ての領域が破断されることにより、図３（ａ）に示すようにフラップ部３０が後面分離部２２とともに見開かれて開封される。
【００３７】
この際、複数の切り込み線４０が、直線状の主辺部４１と、この主辺部４１の両端部のそれぞれから延びた補助辺部４２，４３とからなることにより、後面本体部２１の後面分離部２２との分離部分は、図３（ｂ）に示すように、主辺部４１による直線を主とし、その両端に補助辺部４２，４３及びこれらを繋ぐ破断部５０による若干の凹凸が生じただけの直線に近い状態とすることができる。また、後面分離部２２の後面本体部２１との分離部分についても同様のものとなる。
【００３８】
（第２の実施の形態）
図４は、本発明の分離構造を用いた箱の実施の一形態を示す図であり、（ａ）は全体の構成を示す図、（ｂ）は（ａ）に示した切り込み線１４０の構成を示す図である。
【００３９】
本形態は図４（ａ）に示すように、シート媒体となる本体部１１０とジッパー部１２０とから構成され、ジッパー部１２０が本体部１１０から分離されることによって開封される箱１０１である。
【００４０】
ジッパー部１２０は、一方向に延びた複数の切り込み線１４０の列が２列並行することによって本体部１１０から分離可能に構成されている。
【００４１】
複数の切り込み線１４０のそれぞれは、図４（ｂ）に示すように、主辺部１４１と第１の補助辺部１４２と第２の補助辺部１４３とから構成されている。主辺部１４１は、複数の切り込み線１４０の配列方向に延びた直線状のものとなっている。補助辺部１４２は、主辺部１４１の一方の端部から主辺部１４１に対して鈍角をなして斜めの方向に延びて形成されている。補助辺部１４３は、主辺部１４１の他方の端部から、補助辺部１４２が主辺部１４１から延びる方向とは反対方向に延びて形成されている。
【００４２】
このように構成された複数の切り込み線１４０は、補助辺部１４２がジッパー部１２０の内側に向き、補助辺部１４３がジッパー部１２０の外側に向くように配置され、複数の切り込み線１４０の配列方向において、隣接する切り込み線１４０の補助辺部１４２，１４３が互いに重なるよう配置されている。これは、上述したように補助辺部１４２が、主辺部１４１の一方の端部から主辺部１４１に対して鈍角をなして斜めの方向に延びて形成されているとともに、補助辺部１４３が、主辺部１４１の他方の端部から、補助辺部１４２が主辺部１４１から延びる方向とは反対方向に延びて形成されていることにより、隣接する２つの切り込み線１４０においては、補助辺部１４２と補助辺部１４３とが平行なものとなり、それにより実現されている。
【００４３】
以下に、上記のように構成された箱１０１における切り込み線１４０による作用及び効果について説明する。
【００４４】
まず、ジッパー部１２０が分離される際の切り込み線１４０による作用について説明する。
【００４５】
図５は、図４に示したジッパー部１２０が分離される際の切り込み線１４０による作用を説明するための図であり、（ａ）はジッパー部１２０が分離されていく状態を示す図、（ｃ）はジッパー部１２０が分離される際に切り込み線１４０が繋がっていく状態を示す図である。
【００４６】
図４に示した箱１０１を開封する場合は、図５（ａ）に示すように、ジッパー部１２０の一端を摘まんでジッパー部１２０をその一端とは反対側に引っ張る。すると、箱１０１の複数の切り込み線１４０間の領域が破断し、複数の切り込み線１４０が繋がることによってジッパー部１２０が本体部１１０から分離して箱１０１が開封される。なお、ジッパー部１２０は、切り込み線１４０の補助辺部１４２側を摘まんで引っ張ることになる。
【００４７】
この際、切り離し線１４０間の領域においては、図４（ｂ）に示すように、補助辺部１４３から破断していき、その破断部１５０が、隣接する切り込み線１４０に達して複数の切り込み線１４０が繋がることになる。補助辺部１４３からの破断方向は、ジッパー部１２０が複数の切り込み線１４１の配列方向に引っ張られた場合、ジッパー部１２０の内側に向かう方向となるが、上述したように、複数の切り込み線１４０が、その配列方向において補助辺部１４２，１４３が互いに重なるよう配置され、補助辺部１４２がジッパー部１２０の内側に向き、補助辺部１４３がジッパー部１２０の外側に向いていることにより、切り込み線１４０の補助辺部１４２側を摘まんで引っ張った場合、補助辺部１４３からの破断方向には、隣接する切り込み線１４０の補助辺部１４２が存在し、それにより、ジッパー部１２０や本体部１１０が切り込み線１４０に沿わない方向に裂けてしまうことを回避できる。また、上述したように、隣接する２つの切り込み線１４０においては、補助辺部１４２と補助辺部１４３とが平行なものとなっていることにより、隣接する複数の切り込み線１４０の間隔を狭めすぎることなく、そのような構成を実現することができる。
【００４８】
次に、ジッパー部１２０が分離された後の切り込み線１４０による効果について説明する。
【００４９】
図６は、図４に示した箱１０１においてジッパー部１２０が分離された後の切り込み線１４０による効果を説明するための図であり、（ａ）は箱１０１が開封された後の状態を示す図、（ｂ）はジッパー部１２０が分離された後の切り込み線１４０近傍の状態を示す図である。
【００５０】
上述したようにして、複数の切り込み線１４０が全て繋がることにより、図６（ａ）に示すように、ジッパー部１２０が本体部１１０から分離して箱１０１が開封される。
【００５１】
この際、複数の切り込み線１４０が、直線状の主辺部１４１と、この主辺部１４１の両端部のそれぞれから延びた補助辺部１４２，１４３とからなることにより、本体部１１０のジッパー部１２０との分離部分は、図６（ｂ）に示すように、主辺部１４１による直線を主とし、その両端に補助辺部１４２，１４３及びこれらを繋ぐ破断部１５０による若干の凹凸が生じただけの直線に近い状態とすることができる。また、ジッパー部１２０の本体部１１０との分離部分においても同様のものとなる。
【００５２】
なお、本発明の分離構造は、上述した２つの実施の形態にて示した封筒１や箱１０１を開封するためのものに限らず、シート媒体を２つの領域に分離するためのものであれば、様々なものに適用することができる。
【符号の説明】
【００５３】
１    封筒
１０  前面片
２０    後面辺
２１    後面本体部
２２    後面分離部
２３    つまみ部
２４    スリット
３０    フラップ部
３１    再湿のり
４０，１４０    切り込み線
４１，１４１    主辺部
４２，４３，１４２，１４３    補助辺部
５０，１５０    破断部
１０１    箱
１１０    本体部
１２０    ジッパー部
【図１】
2014240290.tif 000003
【図２】
2014240290.tif 000004
【図３】
2014240290.tif 000005
【図４】
2014240290.tif 000006
【図５】
2014240290.tif 000007
【図６】
2014240290.tif 000008
【図７】
2014240290.tif 000009
【図８】
2014240290.tif 000010